(57)【要約】【課題】訪問客の目線に適合する向きに商品を陳列し、棚板の陳列スペースを削減することなく取り付け可能であり、展示される商品の大きさ、形状、性質に追従して展示態様を自在に変化させることができる商品陳列棚用展示装置、及び、これを用いた商品陳列棚を提供する。【解決手段】本発明に係る商品陳列棚用展示装置１は、展示部１０と、取付部２０を有している。展示部１０は、一面１１の側が商品展示面１１である。取付部２０は、棚板接触面２００を有し、棚板接触面２００が展示部１０の他面１２側に傾斜して突設されている。商品陳列棚用展示装置１は、棚板５と組み合わされて、商品陳列棚を構成する。商品陳列棚用展示装置１は、取付部２０が棚板５の上面５０の前端部分５０１に取り付けられている。【選択図】図１
2009131561.tif 000002
【特許請求の範囲】
【請求項１】
展示部と、取付部とを有する商品陳列棚用展示装置であって、
前記展示部は、一面側が商品展示面であり、
前記取付部は、棚板接触面を有し、前記棚板接触面が前記展示部の他面側に傾斜して突設されている、
商品陳列棚用展示装置。
【請求項２】
請求項１に記載された商品陳列棚用展示装置であって、前記取付部は、前記展示部の他面に対して回転可能に結合されている、
商品陳列棚用展示装置。
【請求項３】
棚板と、商品陳列棚用展示装置とを有する商品陳列棚であって、
前記商品陳列棚用展示装置は、請求項１又は２に記載されたものでなり、前記取付部が前記棚板の上面の前端部分に取り付けられている、
商品陳列棚。
【請求項４】
商品陳列棚用展示装置と、棚板とを有する商品陳列棚であって、
前記商品陳列棚用展示装置は、展示部と、取付部を有しており、
前記展示部は、一面側が商品展示面であり、
前記取付部は、棚板接触面を有し、前記棚板接触面が展示部の他面側に傾斜して突設されており、
前記商品陳列棚用展示装置は、前記取付部が前記棚板の上面の前端部分に取り付けられている、
商品陳列棚。
【発明の詳細な説明】
【技術分野】
【０００１】
本発明は、商品陳列棚用展示装置に関し、具体的に商品見本、又は、試供品の展示のために棚板の前端部に掛け止められる展示装置に関する。
【背景技術】
【０００２】
スーパーマーケットやコンビニエンスストア、ドラッグストア、ホームセンター、カー用品店、家電販売店やＣＤショップ等の小売店では、通路の片側又は両側に商品陳列棚を配置してあり、訪問客は、通路を通りながら、商品陳列棚の棚板に陳列された商品群から所望の商品を選ぶこととなる。
【０００３】
ここで、商品陳列棚のそれぞれは、複数の棚板が高さ方向に間隔を隔て設けられており、この棚板のそれぞれに、多種多様な商品が大量に陳列されている。このため、通路を通る訪問客の注意は、目線の高さ位置にある棚板を中心に散漫に平行移動することとなり、最下段の棚板や、最上段の棚板に陳列されている商品には、注意が向きにくくなる傾向にある。
【０００４】
そこで、商品陳列棚に陳列されている全ての商品に対して、訪問客の注意が向くようにするためには、棚板それぞれの高さ位置に応じた陳列態様が検討されなければならない。
【０００５】
従来、最上段の棚板に陳列されている商品に訪問客の注意を向ける陳列方法として、棚板上に立体的な紙製のＰＯＰ（point-of-purchase）ディスプレイを設置し、このＰＯＰディスプレイ内に当該商品を陳列する方法が採られている。しかし、この種のＰＯＰディスプレイは、訪問客の注意を引くために大型化される傾向にあるから、遮蔽物のない最上段の棚板上にしか設置することができない。
【０００６】
しかも棚板上の陳列スペースは、商品だけを陳列した場合と比較して、ＰＯＰディスプレイの分だけ狭くなる。従って、ＰＯＰディスプレイに供された商品以外の商品の陳列スペースがなくなる分、陳列できる商品の種類が減少することになる。これは、取り扱い商品の豊富さが重要となるスーパーマーケットやコンビニエンスストア、ドラッグストア、さらに家電販売店やＣＤショップ等では容易に採用することができない。
【０００７】
上述した問題点を解決する従来技術として、特許文献１、及び、２に示すようなオプション部品を商品陳列棚に取り付けることが知られている。例えば、特許文献１は、商品陳列棚を構成する棚板の前端部に補助棚板を取り付け、陳列棚の前端部のラインを変えることにより、訪問客の目線が散漫に平行移動することを防止し、訪問客の注意を補助棚板上の商品に向かせる効果を狙ったものである。
【０００８】
他方、特許文献２は、商品陳列棚の前端部に上方開口の箱状体を設置することにより、箱状体の内部に商品見本をセットし、訪問客の眼を当該商品に誘導させるとともに、実際に試用されてから購入されることが多い性質の化粧品などの商品見本を、自由に試用できるようにしたものである。
【０００９】
しかし、特許文献１、２では、オプション部品が取り付けられた棚板内の商品に対して訪問客の注意を引くことはできるものの、高さ方向に隣接する棚板内の商品に対して訪問客の目線を誘導することができない。即ち、商品陳列棚の最上段の棚板に陳列された商品と、最下段の棚板に陳列された商品とを同じように訪問客にアピールするためには、訪問客の目線内に商品の前面が入っていることが重要であるところ、特許文献１、２では訪問客の目線に対する誘導措置が図られていない。
【００１０】
また、特許文献１は、陳列棚の前面に補助的に取り付けられる棚板にすぎないから、補助棚板それ自体に訪問客の購買意欲を向上させる視覚効果を付加することができない。
【００１１】
他方、特許文献２では、化粧品など比較的小さなサイズの試供品を展示することを前提としているため、化粧品以外の商品に流用することは想定していない。これに対し、スーパーマーケットやコンビニエンスストア、ドラッグストア等の小売店に並ぶ商品は、その大きさや形状、機能が多種多様であり、特許文献２では、商品の特性に応じて展示態様を調節することができない。
【特許文献１】特開２００７−１３０３６０号公報
【特許文献２】実登３０７６７４５号公報
【発明の開示】
【発明が解決しようとする課題】
【００１２】
本発明の課題は、訪問客の目線に適合する向きに商品を展示することができる商品陳列棚用展示装置、及びこれを用いた商品陳列棚を提供することである。
【００１３】
本発明のもう１つの課題は、棚板の陳列スペースを削減することなく取り付けることができる商品陳列棚用展示装置、及びこれを用いた商品陳列棚を提供することである。
【００１４】
本発明の更にもう一つの課題は、展示される商品の大きさ、形状、性質に追従して展示態様を自在に変化させることができる商品陳列棚用展示装置、及び、これを用いた商品陳列棚を提供することである。
【課題を解決するための手段】
【００１５】
上述した課題を解決するため、本発明に係る商品陳列棚用展示装置は、展示部と、取付部を有している。展示部は、一面側が商品展示面である。取付部は、棚板接触面を有し、棚板接触面が展示部の他面側に傾斜して突設されている。
【００１６】
本発明に係る商品陳列棚用展示装置は、棚板と組み合わされて、商品陳列棚を構成する。商品陳列棚用展示装置は、取付部が棚板の上面の前端部分に取り付けられる。
【００１７】
ここで、商品陳列棚を構成する商品陳列棚用展示装置は、展示部と、取付部を有している。展示部は、一面側が商品展示面であるから、この商品展示面に商品（見本）を展示することができる。
【００１８】
取付部は、棚板接触面を有しており、商品陳列棚用展示装置を棚板に取り付けられた状態で、取付部の棚板接触面が、棚板の上面の前端部分に面支持される。従って、棚板に対する商品陳列棚用展示装置の支持安定性が向上する。また、商品陳列棚用展示装置を棚板の上面に取り付けるのに必要なスペースは、取付部の棚板接触面分のみであるから、棚板の上面（商品陳列面）に対する取付部の占有面積が必要最小限にとどまる。
【００１９】
本発明に係る商品陳列棚用展示装置の特徴の一つは、取付部の棚板接触面が、展示部の他面側に傾斜して突設されている点にある。この構造によると、商品陳列棚用展示装置は、取付部が棚板の上面の前端部分に取り付けられた状態で、棚板接触面と展示部の他面との間の傾斜に応じて、商品展示面が棚板の上面に対して角度を持つこととなる。従って、棚板接触面と展示部の他面との間の傾斜角度を予め調節することにより、商品展示面に展示されている商品（見本）を、棚板の上面とは異なる角度で棚板の前端部分に展示することが可能となり、棚板の上面に陳列された商品に訪問客の注意を引きつけることができる。
【００２０】
また、商品陳列棚用展示装置は、取付部が棚板の上面の前端部分に掛け止められるから、商品展示面に展示されている商品（見本）が訪問客の目線に入りやすく、展示効果が向上する。
【００２１】
商品陳列棚用展示装置の商品展示面に商品見本又は試供品を展示する場合には、別途治具を用いて固定することができるから、商品陳列棚用展示装置は、陳列される商品の大きさ、形状、性質に追従して展示態様を自在に変化させることが可能である。
【００２２】
本発明の他の目的、構成及び利点については、添付図面を参照し、更に詳しく説明する。添付図面は、単に、例示に過ぎない。
【発明の効果】
【００２３】
以上述べたように、本発明によれば、次のような効果を得ることができる。
（１）訪問客の目線に適合する向きに商品を展示することができる商品陳列棚用展示装置、及びこれを用いた商品陳列棚を提供することができる。
（２）棚板の陳列スペースを削減することなく取り付けることができる商品陳列棚用展示装置、及びこれを用いた商品陳列棚を提供することができる。
（３）展示される商品の大きさ、形状、性質に追従して展示態様を自在に変化させることができる商品陳列棚用展示装置、及び、これを用いた商品陳列棚を提供することができる。
【発明を実施するための最良の形態】
【００２４】
図１は本発明の一実施形態に係る商品陳列棚用展示装置の斜視図、図２は図１に示した商品陳列棚用展示装置の底面図、図３は図１に示した商品陳列棚用展示装置の右側面図である。また、図４は図１に示した商品陳列棚用展示装置についてカバーの開閉動作を示す側面図である。
【００２５】
本発明の一実施形態に係る商品陳列棚用展示装置は、商品見本、又は、試供品を展示するために棚板の前端部分に取り付けられる展示装置であり、展示部１０と、取付部２０を有している。
【００２６】
展示部１０は、薄板状、又は、平板状であって、一面１１と、厚みを隔てて一面１１と平行する他面１２とを有し、好ましくはポリエチレン（ＰＥ）、ポリプロピレン（ＰＰ）、塩化ビニル樹脂（ＰＶＣ）、ＰＥＴ樹脂（ＰＥＴ）、アクリル、プラスチック等の合成樹脂材料を主成分として成型されている。展示部１０は、板面の一面１１の側が商品展示面である。以下、説明の都合上、商品展示面には、展示部の一面と同じ符号「１１」を付して説明する。
【００２７】
取付部２０は、棚板接触面２００を有し、棚板接触面２００が展示部１０の他面１２の側に傾斜して突設されている。より詳細に説明すると、取付部２０は、展示部１０と同一の長手寸法、厚み寸法を有する薄板状、又は、平板状であり、板面の一面側が棚板接触面２００となっている。取付部２０は、ポリエチレン（ＰＥ）、ポリプロピレン（ＰＰ）、塩化ビニル樹脂（ＰＶＣ）、ＰＥＴ樹脂（ＰＥＴ）、アクリル、プラスチック等の合成樹脂材料を主成分としており、好ましくは展示部１０と一体的に成型されている。
【００２８】
取付部２０は、他面１２の上端縁付近において、長手方向Ｌに沿って庇状に配置され、棚板接触面２００が、他面１２に対して傾斜角度θ１をもって交差するように突設されている。即ち、傾斜角度θ１は、展示部１０の他面１２に対する棚板接触面２００の交差角度を意味する。図３を参照すると、取付部２０は、１３５度の傾斜角度θ１で他面１２に突設されている。なお、傾斜角度θ１は、０度より大きく、１８０度より小さい範囲で自由に設定することができる。
【００２９】
再び図１乃至図４を参照して説明すると、商品陳列棚用展示装置は、カバー３０を有している。カバー３０は、展示部１０の一面１１の側に配置されており、商品展示面１１を全面的に覆っている。
【００３０】
カバー３０は、半割りの円筒状であって、商品展示面１１と同一平面形状となる開口面を有しており、蝶番３１、３２によって商品展示面１１の上端縁に開閉可能に取り付けられている。商品陳列棚用展示装置は、カバー３０の内周面と、商品展示面１１との組み合わせによって構成される収納空間１００を有している。
【００３１】
カバー３０は、ポリエチレン（ＰＥ）、ポリプロピレン（ＰＰ）、塩化ビニル樹脂（ＰＶＣ）、ＰＥＴ樹脂（ＰＥＴ）、アクリル、プラスチック等の合成樹脂材料を主成分として成型されている。
【００３２】
カバー３０は、主に、商品展示面１１に商品見本などが展示された場合に、商品見本に塵埃が付着すること、商品見本が盗難されることを防止するとともに、商品見本の展示に係る視覚効果を向上させる機能を有する。例えば、カバー３０は内部の商品見本が良く見えるように透明であることが好ましいが、商品見本が化粧品やアクセサリーなどの場合には、カバー３０に色彩や模様を付け加えることにより、商品見本に対する訪問客の購買意欲を刺激することができる。
【００３３】
また、上述したように商品陳列棚用展示装置にアクセサリーやＣＤ、ＤＶＤなど高価な商品見本が収納される場合には、可動する端縁３３に錠を付加しても良い。これらは、商品の性質に応じて自由に決定することができる。
【００３４】
図１乃至図４を参照して説明した商品陳列棚用展示装置は、棚板と組み合わされて商品陳列棚を構成する。次に、本発明に係る商品陳列棚用展示装置を用いた商品陳列棚について、図５及び図６を参照して説明する。図５は本発明の一実施形態に係る商品陳列棚の側面図、図６は図５に示した商品陳列棚の使用態様を説明する図である。図５及び図６において、図１乃至図４に示した構成部分と同一の構成部分には、同一の参照符号を付す。
【００３５】
図５及び図６を参照すると、本発明の一実施形態に係る商品陳列棚は、商品陳列棚用展示装置１と、少なくとも一つの棚板５とを有している。
【００３６】
棚板５は、上面５０に商品６１が陳列されている。通常、スーパーマーケットやコンビニエンスストア、ドラッグストア等で広く用いられている棚板５の前端面には、上面５０上に陳列されている商品６１の名称や、価格を記載した値札カード５５が取り付けられている。
【００３７】
商品陳列棚用展示装置１は、取付部２０が棚板５の上面５０の前端部分５０１に取り付けられている。図１乃至図４を参照して説明したように、取付部２０は、傾斜角度θ１をもって他面１２に傾斜して突設されているから、取付部２０が前端部分５０１に掛け止められた状態で、棚板接触面２００が基準面となり、展示部１０の商品展示面１１が、棚板５の上面５０に対して、傾斜角度θ２をもって傾斜して配置される。即ち、傾斜角度θ２は、棚板５の上面５０に対する商品展示面１１の交差角度を意味する。
【００３８】
傾斜角度θ２は、傾斜角度θ１によって決定される。図５では、傾斜角度θ１は１３５度であるから、傾斜角度θ２は４５度となっている。
【００３９】
さらに図５及び図６を参照すると、商品陳列棚用展示装置１は、商品展示面１１において、棚板５に陳列された商品６１と同じ商品見本６２が展示されており、且、カバー３０の前面の所定の箇所に、商品陳列棚用展示装置１によって隠された値札カード５５と同一内容のカード３５が貼付されている。
【００４０】
図１乃至図４を参照して説明した商品陳列棚用展示装置１、及び、これを棚板５と組み合わせて構成した図５及び図６に記載の商品陳列棚によると、以下の効果を有することができる。まず、商品陳列棚を構成する商品陳列棚用展示装置１は、展示部１０を有しており、展示部１０は、一面１１の側が商品展示面１１であるから、この商品展示面１１に商品見本６２を展示することができる。
【００４１】
商品陳列棚用展示装置１は、取付部２０を有している。ここで取付部２０は、棚板接触面２００を有しており、商品陳列棚用展示装置１を棚板５に取り付ける場合に、取付部２０の棚板接触面２００が、棚板５の上面５０に面支持される。従って、棚板５に対する商品陳列棚用展示装置１の支持安定性が向上する。また、商品陳列棚用展示装置１を棚板５の上面５０に取り付ける場合に必要なスペースは、取付部２０の棚板接触面２００だけであるから、棚板５の上面に対する取付部２０の占有面積を最小限にとどめることができる。
【００４２】
本発明に係る商品陳列棚用展示装置１の特徴の一つは、取付部２０の棚板接触面２００が、展示部１０の他面１２に対して傾斜角度θ１をもって傾斜して突設されている点にある。この構造によると、商品陳列棚用展示装置１は、取付部２０が棚板５の上面５０の前端部分５０１に取り付けられている状態で、商品展示面１１が傾斜角度θ１に応じた傾斜角度θ２の傾斜を持つこととなる。従って、傾斜角度θ１を予め調節することにより、商品展示面１１に展示されている商品見本６２を、棚板５の上面５０の角度（水平面）とは異なる角度θ２で棚板５の前端部分５０１に展示することが可能となるから、訪問客の目線に適合する向きに商品見本６２を展示することができる。また、商品陳列棚用展示装置１は、取付部２０が棚板５の上面５０の前端部分５０１に掛け止められるから、商品展示面１１に展示されている商品見本６２が訪問客の目線に入りやすく、優れた展示効果を向上する。
【００４３】
上述した訪問客の目線に適合する向きに商品見本６２を陳列することができるとする効果について、更に図６を参照する。図６に示すように、通常、スーパーマーケットやコンビニエンスストア、ドラッグストア等で広く用いられている商品陳列棚は、複数の第１乃至第３の棚板５１〜５３が高さ方向Ｔに間隔を隔て設けられており、第１乃至第３の棚板５１〜５３のそれぞれに、多種多様な商品６１が大量に陳列されている。ここで、訪問客の目線Ｓ１〜Ｓ３を考えると、目線Ｓ２の位置にある第２の棚板５２に陳列されている商品６１や、目線Ｓ１の位置にある第１の棚板５１に陳列されている商品６１は、前面が見えやすいに高さ位置に陳列されている。しかし、最下段の第３の棚板５３に陳列されている商品６１は、その前面が見えにくい高さ位置に陳列されている。
【００４４】
本発明の一実施形態に係る商品陳列棚用展示装置１は、この最下段の第３の棚板５３の上面５０の前端部分５０１に取り付けられることにより、商品展示面１１が傾斜角度θ２をもって棚板５の前端部分５０１に配置される。その結果、商品見本６２の前面が訪問客の目線Ｓ３に入りやすくなり、第３の棚板５３に陳列されている商品６１への注意を引くことができる。
【００４５】
図７は、本発明のもう一つの実施形態に係る商品陳列棚の使用態様を説明する図である。図７において、図１乃至図６に示した構成部分と同一の構成部分には、同一の参照符号を付す。
【００４６】
図１乃至図６を参照して説明したように、取付部２０は、傾斜角度θ１をもって他面１２に傾斜して突設されているから、取付部２０が棚板５の上面５０に掛け止められた状態で、棚板接触面２００が基準面となり、商品展示面１１が、傾斜角度θ１に応じた傾斜角度θ２をもって前端部分５０１に配置される。従って、傾斜角度θ１を予め調節することにより、商品展示面１１に展示されている商品見本６２を、棚板５の上面５０の角度（水平面）とは異なる角度θ２で前端部分５０１に展示することが可能となるから、訪問客の目線に適合する向きに商品見本６２を展示し、所定の棚板に陳列されている商品６１への注意を引くことができる。
【００４７】
傾斜角度θ１、θ２をどのように調節するかは、訪問客の目線、及び、商品陳列棚用展示装置１が取り付けられる棚板の位置によって決定される。具体的に、図７を参照すると、商品陳列棚は、第１乃至第４の棚板５１〜５４が高さ方向Ｔに間隔を隔て設けられており、第１乃至第４の棚板５１〜５４のそれぞれに、商品６１が陳列されている。
【００４８】
ここで、訪問客の目線Ｓ２が第２の棚板５２２と同じ高さ位置になると仮定した場合、第１の棚板５１に陳列されている商品６１は、第２の棚板５２に陳列されている商品６１よりも見えにくくなる。また、第２の棚板５２の下段側にある第３、第４の棚板５３、５４に陳列されている商品６１は、第２の棚板５２に陳列されている商品６１よりも下に行くに従って見えにくくなる。
【００４９】
そこで、訪問客の目線Ｓ1〜Ｓ４を基準にして、第１乃至第４の棚板５１〜５４のそれぞれに、傾斜角度θ１、θ２を調節した商品陳列棚用展示装置１を取り付けている。
【００５０】
第１の棚板５１に取り付けられている商品陳列棚用展示装置１の取付部２０は、傾斜角度θ１が４５度をもって他面１２に傾斜して突設されている。傾斜角度θ２は、傾斜角度θ１に応じて１３５度となっており、商品展示面１１が目線Ｓ１に追従する下向きとなっている。
【００５１】
第２の棚板５２に取り付けられている商品陳列棚用展示装置１の取付部２０は、傾斜角度θ１が９０度をもって他面１２に傾斜して突設されている。傾斜角度θ２は、傾斜角度θ１に応じて９０度となっており、商品展示面１１が目線Ｓ２に追従する正面方向を向く垂直配置になっている。
【００５２】
第３の棚板５３に取り付けられている商品陳列棚用展示装置１の取付部２０は、傾斜角度θ１が１３５度をもって他面１２に傾斜して突設されている。傾斜角度θ２は、傾斜角度θ１に応じて４５度となっており、商品展示面１１が目線Ｓ３に追従する斜め上向きとなっている。
【００５３】
第４の棚板５４に取り付けられている商品陳列棚用展示装置１の取付部２０は、傾斜角度θ１が１５０度をもって他面１２に傾斜して突設されている。傾斜角度θ２は、傾斜角度θ１に応じて３０度となっており、商品展示面１１が目線Ｓ４に追従する上向きとなっている。
【００５４】
図７に示したように、本発明の一実施形態に係る商品陳列棚用展示装置１は、訪問客の目線Ｓ1〜Ｓ４を基準にして、傾斜角度θ１を調節し、もって傾斜角度θ２を調節することにより、訪問客の目線Ｓ1〜Ｓ４に追従して、効果的に商品見本６２を展示し、所棚板５１〜５４に陳列されている商品６１への注意を引くことができる。
【００５５】
通常、スーパーマーケットやコンビニエンスストア、ドラッグストア、ホームセンター、カー用品店、家電販売店やＣＤショップ等の小売店では、訪問客は、通路を通りながら棚板に陳列された商品６１から所望の商品６１を選ぶこととなる。ここで、商品陳列棚のそれぞれは、複数の棚板５１〜５４が高さ方向Ｔに間隔を隔て設けられており、この棚板５１〜５４のそれぞれに、多種多様な商品６１が大量に陳列されている。従来の陳列方法では、通路を通る訪問客の注意は、目線Ｓ２の高さ位置にある棚板５２を中心に散漫に平行移動することとなる。
【００５６】
そこで、従来は、商品陳列棚を構成する棚板の前端にオプション部品として、例えば補助棚板（特許文献１参照）や、上方開口の箱状体（特許文献２参照）を設置することにより、訪問客の目線Ｓ２が散漫に平行移動することを防止していた。
【００５７】
しかし、これらの従来技術では、オプション部品に収納された商品６２、及び、これに対応する商品６１に対して訪問客の注意を集めることはできるものの、高さ方向Ｔに隣接する棚板５１、５３、５４の商品６１に対して訪問客の目線Ｓ1、Ｓ３、Ｓ４を誘導することができない。
【００５８】
これに対して、本発明の一実施形態に係る商品陳列棚用展示装置１の取付部２０は、傾斜角度θ１をもって他面１２に傾斜して突設されているから、取付部２０が前端部分５０１に掛け止められた状態で、棚板接触面２００が基準面となり、商品展示面１１が、傾斜角度θ２をもって傾斜して前端部分５０１に配置される。ここで、商品展示面１１には、商品見本６２が傾斜角度θ２に沿って展示されているから、訪問客の目線Ｓ1〜Ｓ４に適合する向きに商品見本６２をし、通路を通る訪問客の注意をひくことができる。
【００５９】
他方、従来の立体的な紙製のＰＯＰ（point-of-purchase）ディスプレイは、訪問客の注意を引くために大型化される傾向にあるから、最上段の棚でしか行うことができない。これに対して、本発明の一実施形態に係る商品陳列棚用展示装置１は、取付部２０が棚板５１〜５４の上面５０の前端部分５０１に掛け止められるから、全ての棚板５１〜５４に取り付けることができる。
【００６０】
しかも、商品陳列棚用展示装置１を棚板５１〜５４に取り付けるのために要するスペースは、棚板接触面２００分のスペースだけであるから、棚板５１〜５４の上面に対する取付部２０の占有面積は最小限にとどまる。従って、ＰＯＰディスプレイとは異なり、ＰＯＰディスプレイに供されたの商品６１以外の商品６１のスペースがなくなる不都合は生じず、陳列できるの商品６１の種類が減少することもない。
【００６１】
通常、スーパーマーケットやコンビニエンスストア、ドラッグストア等で広く用いられている商品陳列棚は、高さ方向Ｔで見た棚板５１〜５４の相互間に、商品６１を見えやすくするため、又は、陳列作業をしやすくするためのデッドスペース（高低差の隙間）が確保されている。商品陳列棚用展示装置１は、５１〜５４のの前縁部分５０１に取り付けられることにより、上述したデッドスペースを有効利用することができる。
【００６２】
図８及び図９は、本発明のもう一つの実施形態に係る商品陳列棚用展示装置１の底面図である。図８及び図９において、図１乃至図７に示した構成部分と同一の構成部分には、同一の参照符号を付す。
【００６３】
図８に示す実施形態において、商品陳列棚用展示装置１は、第１の取付部２１と、第２の取付部２２とを有する。第１の取付部２１は、他面側に第１の棚板接触面２０１を有しており、第１の棚板接触面２０１が展示部１０の他面１２側に傾斜角度θ１して突設されている。
【００６４】
他方、第２の取付部２２は、第２の棚板接触面２０１を有しており、第２の棚板接触面２０１が展示部１０の他面１２側に傾斜角度θ１して突設されている。即ち、図８に示す第１及び第２の取付部２２は、図１乃至図７を参照して説明した商品陳列棚用展示装置１とは異なり、取付部２０が展示部１０の他面１２に対して、部分的に突設されている点に特長がある。
【００６５】
図８に示した第１の取付部２１と、第２の取付部２２とは、図示からは必ずしも明らかではないが、ともに同じ傾斜角度θ１で展示部１０の他面１２側に突設されている。その結果、第１の取付部２１と、第２の取付部２２との間には、それぞれの第１及び第２の棚板接触面２０１、２０２、２０２の他に、全体として棚板の上面を面で受ける仮想の棚板接触面Ｖ２００が形成されている。
【００６６】
図８に示した第１の取付部２１と、第２の取付部２２とは、端的に言えば、図１乃至図７に示した取付部２０の中間部分を切り欠いた形状にすぎないから、図１乃至図７を参照して説明した商品陳列棚用展示装置１の利点を全て有することは明白である。
【００６７】
さらに、図８に示した商品陳列棚用展示装置１の構造によると、第１の取付部２１と、第２の取付部２２とが実際に棚板５１〜５４の上面５０に接触するスペースは減少するから、棚板５１〜５４の上面に対する取付部２０の占有面積は最小限にとどまる。なお、取付部２０が小さくなればなるほど、製造コストの低減、軽量化に資することは明白である。
【００６８】
次に、図９を参照すると、商品陳列棚用展示装置１は、複数の取付部２０が展示部１０の他面１２側に断続的に傾斜角度θ１をもって傾斜して突設されている。図９からは必ずしも明確ではないが、複数の取付部２０は棒状であり、これらがともに同じ傾斜角度θ１で展示部１０の他面１２側に突設され、それぞれの棚板接触面２００の他に、全体として棚板の上面を面で受ける仮想の棚板接触面Ｖ２００が突設されている。
【００６９】
図９に示した複数の取付部２０とは、図１乃至図７に示した取付部２０の中間部分を更に細かく切り欠いた形状にすぎないから、図１乃至図８を参照して説明した商品陳列棚用展示装置１の利点を全て有することができる。
【００７０】
また、図９に示した商品陳列棚用展示装置１の構造によると、棚板の上面に対する取付部２０の占有面積を最小限にとどめることができるとともに、取り付け態様のバリエーションを確保し、様々な形態の棚板５１〜５４に対して取り付けることができる。
【００７１】
図１０乃至図１３は、本発明の更にもう一つの実施形態に係る商品陳列棚用展示装置１の取付構造について、一部を省略して示す断面図である。図１０及び図１３において、図１乃至図９に示した構成部分と同一の構成部分には、同一の参照符号を付す。
【００７２】
図１０乃至図１３に示した一連の実施形態は、前端部分５０１に対する取付部２０の取り付け構造の具体例を示したものである。
【００７３】
図１０を参照すると、取付部２０は、棚板５の前端部分５０１に載置された状態で、ビス７２を用いて上面５０に固定されている。この構造によると、商品陳列棚用展示装置１を、棚板５の前端部分５０１に強固に結合することができる。
【００７４】
図１１を参照すると、取付部２０は、棚板５の前端部分５０１に載置された状態で、接着剤７３を用いて上面５０に固定されている。この構造によると、商品陳列棚用展示装置１を、棚板５の前端部分５０１に容易に、かつ、強固に結合することができる。
【００７５】
図１２を参照すると、取付部２０は、棚板接触面２００内に、嵌合用凸部２３を有している。嵌合用凸部２３は、棚板接触面２００から垂直方向に立ち上がる軸部２４を有しており、軸部２４の先端部分に抜け留め機構となる膨張部２５を有している。他方、棚板５は、上面５０から下面に貫通する貫通孔５６を有しており、この貫通孔５６に嵌合用凸部２３が圧入されることにより、取付部２０が、棚板５の上面５０の前端部分５０１に取り付けられる。この構造によると、商品陳列棚用展示装置１を、棚板５の前端部分５０１に着脱可能に結合することができる。
【００７６】
また、好ましくは、嵌合用凸部２３が取付部２０に一体的に形成されている場合、取り付け工程において、別途工具類を用いる必要がなくなる分、作業工程の効率化、迅速化を図ることができる。
【００７７】
図１３を参照すると、取付部２０は、棚板接触面２００内に、高低差を有する屈曲部２６が形成されている。屈曲部２６は、差込み部２７が、棚板載置面２００よりも下の位置となっている。他方、棚板５は、上面５０から下面に貫通する貫通孔（又は、スリット）５６を有している。この貫通孔５６に差込み部２７を差し込むことにより、差込み部２７と、棚板接触面２００との間で、屈曲部２６を支点として生じるてこの原理を利用して、取付部２０が、棚板５の上面５０の前端部分５０１に取り付けられる。この構造によると、商品陳列棚用展示装置１を、棚板５の前端部分５０１に着脱可能に結合することができる。
【００７８】
また、好ましくは、嵌合用凸部２３が取付部２０に一体的に形成されている場合、取り付け工程において、別途工具類を用いる必要がなくなる分、作業工程の効率化、迅速化を図ることができる。
【００７９】
図１４は本発明の更にもう一つの実施形態に係る商品陳列棚の使用態様を説明する正面図、図１５は図１４に示した商品陳列棚について、一部を省略して示す側面図である。図１４及び図１５において、図１乃至図１３に示した構成部分と同一の構成部分には、同一の参照符号を付す。
【００８０】
図１４及び図１５を参照すると、商品陳列棚用展示装置１であって、さらにディスプレイ部４０を有している。
【００８１】
ディスプレイ部４０は、商品見本６２を商品展示面１１に取り付けるために用いられるものであり、商品見本６２の性質に応じた視覚的効果を演出し、訪問客の購買意欲を刺激するために用いられる。図４に示すディスプレイ部４０は、アルミ等の金属材料を主成分とする平板材であって、面内に貫通孔が多数開孔されている。
【００８２】
商品展示面１１は、間隔を隔て長手方向Ｌに伸びる架台部１３、１４を有しており、この間隔は、ディスプレイ部４０の長手寸法に追従して決定されている。
【００８３】
ディスプレイ部４０は、商品展示面１１において、架台部１３、１４を介して着脱可能に設置されており、架台部１３、１４によって記載される商品展示面１１と、ディスプレイ部４０との隙間Ｇを利用して、例えば紐８などを巻装して商品見本６２を固定する。
【００８４】
商品陳列棚用展示装置１の展示部１０は、平板状であって、板面の一面側に商品展示面１１を有している。商品展示面１１に商品見本（又は試供品）６２を展示する場合には、別途治具を用いて固定することができるから、商品陳列棚用展示装置１は、陳列される商品見本６２の大きさ、形状、性質に追従して陳列態様を自在に変化させることができる。
【００８５】
図１４及び図１５を参照して説明した構造によると、商品展示面１１に対して、商品見本６２の性質に応じた視覚的効果を演出可能なディスプレイ部４０を取り付けることができるから、訪問客の購買意欲を刺激することができる。
【００８６】
また、商品陳列棚用展示装置１は、商品展示面１１にディスプレイ部４０を有すことができるから、大きさや形状、機能が多種多様な商品見本６２を、その商品見本６２の特性に応じて陳列することができる。
【００８７】
商品展示面１１に商品見本（又は、試供品）６２を展示することができるから、訪問客はカバー３０を開閉して商品見本６２に直接触れて確かめた上で、商品見本６２に対応する商品６１を購入することができる。
【００８８】
さらに、商品展示面１１と、ディスプレイ部４０とが別部材で構成されている構造によると、ディスプレイ部４０を交換することにより、商品見本６２の入れ替えを容易に行うことができるから、陳列作業を効率的に行うことができる。
【００８９】
ディスプレイ部４０は、商品展示面１１において、架台部１３、１４を介して着脱可能に設置されている。この構造によると、架台部１３、１４によって記載される商品展示面１１と、ディスプレイ部４０との隙間Ｇを利用して、電気配線を配することにより、例えば、カーアクセサリー用の電装品（ランプなど）を駆動状態で展示することができる。
【００９０】
さらにすすんで、図１４及び図１５を参照して説明したディスプレイ部４０は、商品見本６２を商品展示面１１に展示するために用いられるオプション部品であるが、これとは異なり、ディスプレイ部４０として薄型の液晶モニタ装置や、薄型のスピーカなどのＡＶ（audio‐visual）機器を商品展示面１１に取り付けることもできる。ディスプレイ部４０として液晶モニタ装置を用いた場合、モニタ画面に映し出される商品映像などが、商品見本６２の代わりになる。
【００９１】
商品陳列棚用展示装置１は、カバー３０や、ディスプレイ部４０を有するから、展示部１０に、訪問客の購買意欲を刺激する視覚効果を付加することができる。
【００９２】
図１６は本発明の更にもう一つの実施形態に係る商品陳列棚の使用態様を説明する正面図、図１７は図１６に示した商品陳列棚について、一部を省略して示す側面図である。図１６及び図１７において、図１乃至図１５に示した構成部分と同一の構成部分には、同一の参照符号を付す。
【００９３】
図１６及び図１７に示すディスプレイ部４０は、基板部４１と、複数の載置部４２とを有している。基板部４１は、好ましくは薄板状、又は、平板状であって、商品展示面１１と略同一の平面形状を有し、板面内に複数の載置部４２が取り付けられている。基板部４１と、複数の載置部４２とは、好ましくは一体的に成型されている。
【００９４】
載置部４２のそれぞれは、棚板５の上面５０の平行する面４２０を有している。この構造によると、図１４及び図１５とは異なり、ディスプレイ部４０に固定することが適当でない商品見本６２、例えば、香水や化粧品などの瓶詰めされる試供品を載置部４２に載置することができる。
【００９５】
また、ディスプレイ部４０は、基板部４１と、複数の載置部４２とは、好ましくは一体的に成型されているから、商品見本６２の交換が容易である。
【００９６】
図１８は、本発明の更にもう一つの実施形態に係る商品陳列棚用展示装置１の側面図である。図１８において、図１乃至図１７に示した構成部分と同一の構成部分には、同一の参照符号を付す。
【００９７】
図１８に示す実施形態では、取付部２０は、展示部１０の他面１２につながる一端側が、他面１２に対して回転方向Ｒへ回転可能に結合されている。より詳細に説明すると、取付部２０は、展示部１０の他面１２につながる一端側が、回転軸部２７を介して他面１２に対して角度が変化するように、回転可能に結合されている。図１８からは必ずしも明確ではないが、回転軸部２７は、例えばラチェット機構などを含むこともできる。
【００９８】
この構造によると、傾斜角度θ１、θ２を自由に調節することができる。従って、図７を参照して説明したように、高さの異なる複数の棚板５１〜５４を有する陳列棚に商品陳列棚用展示装置１を取り付ける場合に、傾斜角度θ１が異なる数タイプの商品陳列棚用展示装置１を準備する必要がなくなるから、製造効率の向上、及び、取り付け作業効率の向上が図られる。
【００９９】
図１９は、本発明の更にもう一つの実施形態に係る商品陳列棚用展示装置１の側面図である。図１９において、図１乃至図１８に示した構成部分と同一の構成部分には、同一の参照符号を付す。
【０１００】
カバー３０は、商品展示面１１に商品見本６２が展示された場合に、塵埃の付着を防止すること、盗難を防止すること、展示効果をさせることを目的としているから、商品見本６２の性質によっては、全面的に被覆する必要はない。
【０１０１】
図１９に示すようにカバー３０の形状を適宜変えることにより、視覚的効果を様々に変化させることができる。
【０１０２】
以上、好ましい実施例を参照して本発明の内容を具体的に説明したが、本発明の基本的技術思想及び教示に基づいて、当業者であれば、種種の変形態様を採り得ることは自明である。
【図面の簡単な説明】
【０１０３】
【図１】本発明の一実施形態に係る商品陳列棚用展示装置の斜視図である。
【図２】図１に示した商品陳列棚用展示装置の底面図である。
【図３】図１に示した商品陳列棚用展示装置の右側面図である。
【図４】図１に示した商品陳列棚用展示装置についてカバー材の開閉動作を示す側面図である。
【図５】本発明の一実施形態に係る商品陳列棚の側面図である。
【図６】図５に示した商品陳列棚の使用態様を説明する図である。
【図７】本発明のもう一つの実施形態に係る商品陳列棚の使用態様を説明する図である。
【図８】本発明のもう一つの実施形態に係る商品陳列棚用展示装置の底面図である。
【図９】本発明の更にもう一つの実施形態に係る商品陳列棚用展示装置の底面図である。
【図１０】本発明の更にもう一つの実施形態に係る商品陳列棚用展示装置の取付構造について、一部を省略して示す断面図である。
【図１１】本発明の更にもう一つの実施形態に係る商品陳列棚用展示装置の取付構造について、一部を省略して示す断面図である。
【図１２】本発明の更にもう一つの実施形態に係る商品陳列棚用展示装置の取付構造について、一部を省略して示す断面図である。
【図１３】本発明の更にもう一つの実施形態に係る商品陳列棚用展示装置の取付構造について、一部を省略して示す断面図である。
【図１４】本発明の更にもう一つの実施形態に係る商品陳列棚の使用態様を説明する正面図である。
【図１５】図１４に示した商品陳列棚について、一部を省略して示す側面図である。
【図１６】本発明の更にもう一つの実施形態に係る商品陳列棚の使用態様を説明する正面図である。
【図１７】図１６に示した商品陳列棚について、一部を省略して示す側面図である。
【図１８】本発明の更にもう一つの実施形態に係る商品陳列棚用展示装置の側面図である。
【図１９】本発明の更にもう一つの実施形態に係る商品陳列棚用展示装置の側面図である。
【符号の説明】
【０１０４】
１              商品陳列棚用展示装置
１０            展示部
１１            一面（商品展示面）
１２            他面
２０            取付部
２００          棚板接触面
３０            カバー
４０            ディスプレイ部
５              棚板
５０            上面（商品陳列面）
５０１          前端部分
θ１            取付部の傾斜角度
θ２            商品展示面の傾斜角度
【図１】
2009131561.tif 000003
【図２】
2009131561.tif 000004
【図３】
2009131561.tif 000005
【図４】
2009131561.tif 000006
【図５】
2009131561.tif 000007
【図６】
2009131561.tif 000008
【図７】
2009131561.tif 000009
【図８】
2009131561.tif 000010
【図９】
2009131561.tif 000011
【図１０】
2009131561.tif 000012
【図１１】
2009131561.tif 000013
【図１２】
2009131561.tif 000014
【図１３】
2009131561.tif 000015
【図１４】
2009131561.tif 000016
【図１５】
2009131561.tif 000017
【図１６】
2009131561.tif 000018
【図１７】
2009131561.tif 000019
【図１８】
2009131561.tif 000020
【図１９】
2009131561.tif 000021